(57)【要約】      （修正有）【課題】容易に開封してトレイを形成できる箱体を形成できる箱用シートを提供する。【解決手段】箱用シートは、１枚のシート材から形成され、複数のパネルを備え、複数のパネルの１又は２以上によってそれぞれ構成され、四角筒状に配置される４つの側壁と、この４つの側壁から形成される周壁部の上下端を封止する底壁及び天壁とを有する箱体に組み立て可能な箱用シートであって、４つの側壁の少なくとも一部を形成する複数のパネルに、組み立て状態で周壁部の略全周に亘って破断可能に形成される第１破断容易線１４と、組み立て状態で隣接する２つの側壁の少なくとも一部を形成する２つの隣接するパネルに跨がって上記第１破断容易線１４に接続して形成され、シート材を押し込んで開口を形成可能な開口形成部１５を画定する第２破断容易線１６とを有する。【選択図】図１
0003210387.tif 000002
【実用新案登録請求の範囲】
【請求項１】
１枚のシート材から形成され、
複数のパネルを備え、
上記複数のパネルの１又は２以上によってそれぞれ構成され、四角筒状に配置される４つの側壁と、この４つの側壁から形成される周壁部の上下端を封止する底壁及び天壁とを有する箱体に組み立て可能な箱用シートであって、
上記４つの側壁の少なくとも一部を形成する複数のパネルに、組み立て状態で上記周壁部の略全周に亘って破断可能に形成される第１破断容易線と、
組み立て状態で隣接する２つの上記側壁の少なくとも一部を形成する２つの隣接するパネルに跨がって上記第１破断容易線に接続して形成され、シート材を押し込んで開口を形成可能な開口形成部を画定する第２破断容易線と
を有することを特徴とする箱用シート。
【請求項２】
上記第２破断容易線が、上記隣接するパネル間の境界線上の２点を接続するよう一方のパネル上に凸状に湾曲して形成され、上下方向中央部にそのパネルの上記第１破断容易線が接続される第１領域と、上記第１領域の下端及び他方のパネルの上記第１破断容易線上の１点間を接続するよう形成される第２領域とを有する請求項１に記載の箱用シート。
【請求項３】
上記一方のパネルの第１破断容易線が上記第２破断容易線上で終端し、上記他方のパネルの第１破断容易線が上記隣接するパネル間の境界線まで延在する請求項２に記載の箱用シート。
【請求項４】
上記他方のパネルが、他のパネルと組み合わされて１の側壁を構成する請求項２又は請求項３に記載の箱用シート。
【請求項５】
上記第１破断容易線が少なくとも１つの側壁内で上下方向に凸状となるよう湾曲している請求項１から請求項４のいずれか１項に記載の箱用シート。
【考案の詳細な説明】
【技術分野】
【０００１】
本考案は、箱用シートに関する。
【背景技術】
【０００２】
商品を輸送するために、例えば段ボールシートから形成される箱体が広く利用されている。商品輸送用の箱体の複数の側壁全体に亘って一対の破断容易線によって画定される引き裂き帯を形成し、箱体を上下に分割するように開封して箱体の下側部分を商品展示用のトレイとして使用できるようにしたものも多く使用されている。
【０００３】
このように、引き裂き帯によって箱体を上下に分割する場合、箱体の全周に亘って引き裂き帯を分離する必要があり、引っ張る方向を変えながら引き裂き帯を複数回に亘って引っ張る作業を行わなければならない。
【０００４】
また、箱体を開封した後、箱体を形成するシートは折り畳まれ、複数のシートを重ねた束としてハンドリングされることが多い。しかしながら、引き裂き帯によって箱体を上下に分割すると、引き裂き帯が小さいゴミとなる。このため、複数の箱体を開封した場合、引き裂き帯を例えばゴミ袋に回収する等して、別途処理する必要があるという不都合もある。
【０００５】
例えば特許第５８８３５３３号公報には、箱体の全周に亘って１本の破断容易線を形成し、この破断容易線の隣接する側壁間を跨ぐ部分を断続的にシートを切断したミシン目とし、側壁の中央部に存在する部分を連続して切断したスリットとしたことにより、隣接する側壁間の角部の破断容易線の上下を引き離すようにして、破断容易線に沿って箱体を分離可能としたトレイ形性用シートの発明が開示されている。
【０００６】
上記公報に記載の発明は、一旦箱体を形成してから形成した箱体を２つに分割することで、一度に２つのトレイを形成するものであり、トレイの組み立て効率を向上することができる。上記公報に記載の考案は、箱体を輸送箱として利用することを想定していないため、破断容易線が側壁の中央部において連続して切断されている。つまり、上記公報に記載のトレイ形成用シートを組み立てた箱体は、輸送用箱として使用するには強度が不十分である。
【先行技術文献】
【特許文献】
【０００７】
【特許文献１】特許第５８８３５３３号公報
【考案の概要】
【考案が解決しようとする課題】
【０００８】
上記実情に鑑みて、本考案は、容易に開封してトレイを形成できる箱体に組み立て可能な箱用シートを提供することを課題とする。
【課題を解決するための手段】
【０００９】
上記課題を解決するためになされた考案は、１枚のシート材から形成され、複数のパネルを備え、上記複数のパネルの１又は２以上によってそれぞれ構成され、四角筒状に配置される４つの側壁と、この４つの側壁から形成される周壁部の上下端を封止する底壁及び天壁とを有する箱体に組み立て可能な箱用シートであって、上記４つの側壁の少なくとも一部を形成する複数のパネルに、組み立て状態で上記周壁部の略全周に亘って破断可能に形成される第１破断容易線と、組み立て状態で隣接する２つの上記側壁の少なくとも一部を形成する２つの隣接するパネルに跨がって上記第１破断容易線に接続して形成され、シート材を押し込んで開口を形成可能な開口形成部を画定する第２破断容易線とを有することを特徴とする箱用シートである。
【００１０】
当該箱用シートは、組み立て状態で上記周壁部の略全周に亘って形成される上記第１破断容易線と、上記第１破断容易線に接続して形成され、シート材を押し込んで開口を形成可能な開口形成部を画定する第２破断容易線とを有することで、開口形成部を押し込んで形成した開口に手の指をかけて、上記第１破断容易線に沿って箱体を上下２つに引き裂くことができる。このように、当該箱用シートは、箱体を上下方向に引き裂くことで、全ての側壁を一度で分割することができるので、容易且つ迅速に箱体を開封することができる。また、当該箱用シートは、１本の第１破断容易線に沿って箱体を分割するので、開封時にシートの小片が発生しないため、開封後のシートの処理が簡単である。
【００１１】
当該箱用シートにおいて、第２破断容易線が、上記隣接するパネル間の境界線上の２点を接続するよう一方のパネル上に凸状に湾曲して形成され、上下方向中央部にそのパネルの上記第１破断容易線が接続される第１領域と、上記第１領域の下端及び他方のパネルの上記第１破断容易線上の１点間を接続するよう形成される第２領域とを有することが好ましい。この構成によれば、上記第２破断容易線に沿ってシートを破断することで、第２破断容易線の両端、つまりパネル間の境界線上の１点と第１破断容易線上の１点とを結ぶ線に沿って開口形成部を箱体の内側に折り返して開口を容易に形成することができる。また、上記折り曲げは、開口形成部の上記他方のパネル側の上部で行われるため、この折り曲げ線に指をかけて引っ張ることで、より容易に第１破断容易線を破断することができる。従って、この構成によって、箱体の開封をさらに容易にすることができる。
【００１２】
当該箱用シートにおいて、上記一方のパネルの第１破断容易線が上記第２破断容易線上で終端し、上記他方のパネルの第１破断容易線が上記隣接するパネル間の境界線まで延在することが好ましい。この構成によれば、開口形成部のうち、上記他方のパネルの第１破断容易線と上記第２破断容易線の第２領域とで画定される舌片状の領域を箱体の内側に押し込むことが容易であり、これに続いて開口形成部の他の領域を箱体の内側に押し込むことで、開口をより容易に形成することができる。従って、この構成によって、箱体の開封をさらに容易にすることができる。
【００１３】
当該箱用シートにおいて、上記他方のパネルが、他のパネルと組み合わされて１の側壁を構成することが好ましい。この構成によれば、上記他方のパネルを内フラップとして、当該箱用シートをラップアラウンドケーサーで製函可能とすることができる。また、この構成によれば、複数のパネルを組み合わせて形成される側壁側に上記開口形成部の折り曲げ線が形成されるので、第１破断容易線を引き裂く力が自然と複数のパネルを組み合わせて形成される側壁の平面方向に強く作用する。これにより、複数のパネルを組み合わせて形成される側壁のパネル間を面方向に引っ張って剥離させる危険性を低減することができる。従って、この構成によって、ラップアラウンドタイプの箱体の開封をより確実にすることができる。
【００１４】
当該箱用シートにおいて、上記第１破断容易線が少なくとも１つの側壁内で上下方向に凸状となるよう湾曲していることが好ましい。この構成によれば、上記第１破断容易線が湾曲することで、側壁が屈曲することによる箱体の座屈強度の低下を抑制することができる。
【考案の効果】
【００１５】
以上のように、本考案の箱用シートを組み立ててなる箱体は、容易に開封してトレイを形成することができる。
【図面の簡単な説明】
【００１６】
【図１】本考案の一実施形態の箱用シートを示す模式的平面図（展開図）である。
【図２】図１の箱用シートを組み立ててなる箱体の斜視図である。
【図３】図２の箱体の開封の一工程を示す斜視図である。
【図４】図２の箱体の開封の図３の次の工程を示す斜視図である。
【図５】本考案の図１とは異なる実施形態の箱用シートを示す模式的平面図である。
【考案を実施するための形態】
【００１７】
以下、適宜図面を参照しつつ、本考案の実施の形態を詳説する。
【００１８】
［第一実施形態］
図１に、本考案の一実施形態に係る箱用シートを示す。なお、図１において、太い実線はシート材を切断した切断線を示し、細い実線はシート材の裏面側に筋押しして形成される罫線を示す。
【００１９】
当該箱用シートは、１枚のシート材から形成される。当該箱用シートを形成するシート材としては、例えば段ボールシート、プラスチックボード、ボール紙等を用いることができ、中でも段ボールシートが好適に用いられる。
【００２０】
上記段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２１】
当該箱用シートは、切断線及び罫線によって画定される複数のパネルを備える。当該箱用シートは、図２に示すように、上記複数のパネルの１又は２以上によってそれぞれ構成され、四角筒状に配置される４つの側壁と、この４つの側壁から形成される周壁部の上下端を封止する底壁及び天壁とを有する箱体に組み立て可能である。
【００２２】
具体的には、当該箱用シートは、水平方向に長い長方形状に形成され、組み立て状態で箱体の天壁を構成する天面パネル１と、この天面パネル１の長辺（側縁）に連設され、箱体の第１の側壁を構成する長方形状の第１側面パネル２と、この第１側面パネル２の天面パネル１と反対側の側縁に連設され、上記天面パネル１と略等しい形状を有し、箱体の底壁を構成する底面パネル３と、この底面パネルの第１側面パネル２と反対側の側縁に連設され、箱体の第１側面パネル２が構成する第１の側壁に対向する第２の側壁を形成する第２側面パネル４と、この第２側面パネル４の底面パネル３と反対側の側縁に連設され、天面パネル１の第１側面パネル２と反対側の側縁近傍領域の表面に接合される糊しろ５とを備える。
【００２３】
また、当該箱用シートは、第１側面パネル２の水平両側縁から延出する一対の内フラップパネル（第１内フラップパネル６及び第２内フラップパネル７）と、第２側面パネル４の水平両側縁から延出する一対の内フラップパネル（第３内フラップパネル８及び第４内フラップパネル９）と、天面パネル１の水平両側縁から延出する一対の上外フラップパネル（第１上外フラップパネル１０及び第２上外フラップパネル１１）と、底面パネル３の水平両側縁から延出する一対の下外フラップパネル（第１下外フラップパネル１２及び第２下外フラップパネル１３）とをさらに備える。
【００２４】
なお、本明細書において、「水平」とは、当該箱用シートを組み立ててなる箱体の想定される開封時における水平方向を意味し、「上下」とは、想定される開封時における上下方向を意味するが、当該箱用シートの製造時の向きや当該箱用シートを組み立ててなる箱体の開封前の輸送時や保管時における向きを制限することは企図しない。
【００２５】
当該箱用シートは、天面パネル１に糊しろ５が接合されることにより、天面パネル１、第１側面パネル２、底面パネル３及び第２側面パネル４が四角筒状に接続され、この四角筒体の一方の端部開口が、第１内フラップパネル６、第３内フラップパネル８、第１上外フラップパネル１０及び第１下外フラップパネル１２を組み合わせて構成される第３の側壁によって封止され、他方の端部開口が第２内フラップパネル７、第４内フラップパネル９、第２上外フラップパネル１１及び第２下外フラップパネル１３を組み合わせて構成される第４の側壁によって封止されることで、図２に示す箱体に組み立てられる。
【００２６】
より詳しくは、天面パネル１、第１側面パネル２、底面パネル３及び第２側面パネル４から形成される四角筒体は、一方の端部開口が、第１内フラップパネル６及び第３内フラップパネル８を内側に折り曲げ、この第１内フラップパネル６及び第３内フラップパネル８の外側に第１上外フラップパネル１０及び第１下外フラップパネル１２を折り曲げて接着することによって封止され、他方の端部開口が、第２内フラップパネル７及び第４内フラップパネル９を内側に折り曲げ、この第２内フラップパネル７及び第４内フラップパネル９の外側に第２上外フラップパネル１１及び第２下外フラップパネル１３を折り曲げて接着することによって封止される。
【００２７】
換言すると、当該箱用シートは、第１側面パネル２によって構成される第１の側壁、第２側面パネル４によって構成される第２の側壁、第１内フラップパネル６、第３内フラップパネル８、第１上外フラップパネル１０及び第１下外フラップパネル１２によって構成される第３の側壁、並びに第２内フラップパネル７、第４内フラップパネル９、第２上外フラップパネル１１及び第２下外フラップパネル１３によって構成される第４の側壁から形成される周壁部の上下端を天面パネル１によって構成される天壁及び底面パネルから構成される底壁で封止した箱体に組み立てることができる。
【００２８】
当該箱用シートの箱体への組み立ては、一般に、ラップアラウンドケーサーを使用して行うことができる。ラップアラウンドケーサーにおいて、天面パネル１への糊しろ５の接合、第１内フラップパネル６及び第３内フラップパネル８への第１上外フラップパネル１０及び第１下外フラップパネル１２の接着、並びに第２内フラップパネル７及び第４内フラップパネル９への第２上外フラップパネル１１及び第２下外フラップパネル１３の接着は、例えばホットメルト接着剤等を用いて行うことができる。
【００２９】
当該箱用シートは、箱体の４つの側壁の少なくとも一部を形成する複数のパネル（第１側面パネル２、第１内フラップパネル６、第２内フラップパネル７、第２側面パネル４、第３内フラップパネル８及び第４内フラップパネル９）に、組み立て状体で箱体の周壁部の略全周に亘って破断可能に形成される第１破断容易線１４と、組み立て状態で隣接する２つの側壁（第２の側壁及び第３の側壁）の少なくとも一部を形成する２つの隣接するパネル（第２側面パネル４及び第３内フラップパネル８）に跨がって上記第１破断容易線１４に接続して形成され、図３に示すように、シート材を押し込んで開口を形成可能な開口形成部１５を画定する第２破断容易線１６とを有する。
【００３０】
当該箱用シートは、第１破断容易線１４及び開口形成部１５を画定する第２破断容易線１６を有することで、図３に示すように、開口形成部１５を押し込んで第２の側壁と第３の側壁との角部に開口を形成し、図４に示すように、形成された開口に手の指をかけて、開口の上側と下側とを引き離すようにすることで、第１破断容易線１４に沿って箱体を上下２つに分離することができる。
【００３１】
＜第１破断容易線＞
第１破断容易線１４は、シート材を断続的に切断して形成される。
【００３２】
本実施形態の第１破断容易線１４は、第１側面パネル２を横断して形成される第１破断部１７と、第１内フラップパネル６を横断して形成される第２破断部１８と、第２内フラップパネル７を横断して形成される第３破断部１９と、第２側面パネル４を横断して形成される第４破断部２０と、第３内フラップパネル８を横断して形成される第５破断部２１と、第４内フラップパネル９を横断して形成される第６破断部２２とを有する。
【００３３】
この第１破断容易線１４は、当該箱用シートを組み立ててなる箱体において、第３の側壁の第２破断部１８及び第５破断部２１間が、第１上外フラップパネル１０及び第１下外フラップパネル１２間のスリットによって接続され、第４の側壁の第３破断部１９及び第６破断部２２間が、第２上外フラップパネル１１及び第２下外フラップパネル１３間のスリットによって接続されることで、開口形成部１５の一部を残して周壁部の略全周に亘って連続する。
【００３４】
なお、内フラップ６，７，８，９の破断部１８，１９，２１，２２と、上外フラップパネル１０，１１及び下外フラップパネル１２，１３間のスリットとが接続されるとは、第１破断容易線１４の破断によって第３の側壁及び第４の側壁をそれぞれ上下に分割することができるよう実質的に一続きに構成されていることを意味し、内フラップ６，７，８，９の破断部１８，１９，２１，２２と、上外フラップパネル１０，１１及び下外フラップパネル１２，１３間のスリットとの配置が側面視で連続していることを必要としない。むしろ、内フラップ６，７，８，９の破断部１８，１９，２１，２２は、上外フラップパネル１０，１１又は下外フラップパネル１２，１３に覆い隠されるよう、上外フラップパネル１０，１１及び下外フラップパネル１２，１３間のスリットに対して上下いずれかの方向にオフセットして形成されることが好ましい。
【００３５】
開口形成部１５が形成される隣接する２つのパネルのうちの第２側面パネル４の第１破断容易線１４（第４破断部２０）は、第２破断容易線１６上で終端する。一方、開口形成部１５が形成される２つのパネルのうちの第３内フラップパネル８の第１破断容易線１４（第５破断部２１）は、隣接する２つのパネル（第２側面パネル４及び第３内フラップパネル８）の境界線まで延在する。
【００３６】
第１破断容易線１４は、少なくとも１つの側壁内で、好ましくは１枚のパネルから形成される側壁（第１側面パネル２から形成される第１の側壁及び第２側面パネル４から形成される第２の側壁）内で、上下方向に凸状となるよう湾曲して形成されることが好ましい。このように、第１破断容易線１４を湾曲して形成することによって、第１側面パネル２から及び第２側面パネル４が第１破断容易線１４に沿って折れ曲がることを防止し、当該箱用シートを組み立ててなる箱体の座屈強度を向上することができる。
【００３７】
シート材の材質にもよるが、第１破断容易線１４におけるシート材の切断率の下限としては、３０％が好ましく、４０％がより好ましい。一方、第１破断容易線１４におけるシート材の切断率の上限としては、７５％が好ましく、６５％がより好ましい。第１破断容易線１４におけるシート材切断率が上記下限に満たない場合、第１破断容易線１４の破断による開封が容易ではなくなるおそれがある。逆に、第１破断容易線１４におけるシート材切断率が上記上限を超える場合、当該箱用シートを組み立ててなる箱体の強度が不十分となるおそれがある。
【００３８】
また、第１破断容易線１４は、隣接する２つのパネルの境界線を跨いで形成される部分においてシート材の切断率が大きくなっていることが好ましく、第２破断容易線１６が形成される２つのパネルのうち、水平方向の幅が大きい方のパネル（第２側面パネル４）の第２破断容易線１６が形成される側と反対側の側縁近傍においてシート材の切断率が大きくなっていることがより好ましい。このように、第１破断容易線１４の引き裂き方向が９０°屈曲する部分の切断率を大きくすることによって、よりスムーズに第１破断容易線１４を破断させられる。
【００３９】
また、第１破断容易線１４は、開口形成部１５上においてシート材が連続して切断されていることが好ましい。これにより、第２破断容易線１６を破断して開口形成部１５を箱体の内側に押し込みやすくすることができる。
【００４０】
＜開口形成部＞
開口形成部１５を画定する第２破断容易線１６は、上記隣接する第２側面パネル４及び間の境界線上の２点を接続するよう第２側面パネル４上に凸状に湾曲して形成され、上下方向中央部に第１破断容易線１４の第４破断部２０が接続される第１領域２３と、この第１領域２３の下端及び第１破断容易線１４の第５破断部２１上の１点間を接続するよう形成される第２領域２４とを有する。
【００４１】
また、組み立て状態で第３内フラップパネル８に貼着される第１上外フラップ１０及び第１下外フラップ１２には、第３内フラップパネル８の開口形成部１５を露出させる切欠２５，２６が形成されている。
【００４２】
第２破断容易線１６の第１領域２３及び第２領域２４は、連続して形成され、第３内フラップパネル８の上側が開放したＣ字状に形成されることが好ましい。このように、第２破断容易線１６が閉じていいないことによって、第２破断容易線１６に沿ってシート材を切断したときに、開口形成部１５が当該箱用シートの他の領域（第３内フラップパネル８）から分離されず、箱体の開封時にゴミとなるシート材の小片を生じない。
【００４３】
また、第２破断容易線１６を第３内フラップパネル８側が開放したＣ字状とすることにより、開口形成部１５の第３内フラップパネル８側上部でシート材が折り返される。このシート材の折り返し線は、第２破断容易線１６に沿ってシート材を破断したエッジよりも指に対する負担が小さく、この折り返し線側により強い力を作用させることができる。従って、複数のパネルで構成される第３の側壁に沿う方向に力の向きを誘導し、第３の側壁を構成するパネル間の剥離を生じさせ難くすることができる。
【００４４】
第２破断容易線１６によって画定される開口形成部１５の水平方向の最大幅の下限としては、２５ｍｍが好ましく、３０ｍｍがより好ましい。一方、開口形成部１５の最大幅の上限としては、５５ｍｍが好ましく、５０ｍｍがより好ましい。開口形成部１５の最大幅が上記下限に満たない場合、開口形成部１５を押し込んで形成した開口内に指を入れることが困難となるおそれがある。逆に、開口形成部１５の最大幅が上記上限を超える場合、当該箱用シートを組み立ててなる箱体の強度が不必要に低下するおそれがある。
【００４５】
第２破断容易線１６によって画定される開口形成部１５の上下方向の最大高さの下限としては、２５ｍｍが好ましく、３０ｍｍがより好ましい。一方、開口形成部１５の最大高さの上限としては、５０ｍｍが好ましく、４５ｍｍがより好ましい。開口形成部１５の最大高さが上記下限に満たない場合、開口形成部１５を押し込んで形成した開口内に指を入れることが困難となるおそれがある。逆に、開口形成部１５の最大高さが上記上限を超える場合、当該箱用シートを組み立ててなる箱体の強度が不必要に低下するおそれがある。
【００４６】
第２破断容易線１６は、第１領域２３の第１破断容易線１４が接続される点の近傍において、シート材が連続して切断されていることが好ましい。これにより、第２破断容易線１６を破断して開口形成部１５を箱体の内側に押し込みやすくすることができる。
【００４７】
＜利点＞
当該箱用シートは、第１破断容易線１４及び開口形成部１５を画定する第２破断容易線１６を有することで、図３に示すように、開口形成部１５を押し込んで第２の側壁と第３の側壁との角部に開口を形成し、図４に示すように、形成された開口に手の指をかけて、開口の上側と下側とを引き離すようにすることで、第１破断容易線１４に沿って箱体を上下２つに分離することができる。
上述のように、当該箱用シートを組み立ててなる箱体は、開口形成部１５を押し込んで形成した開口に指をかけて上下に引っ張ることで、第１破断容易線１４に沿って箱体を上下２つに分離できる。このように、当該箱用シートを組み立ててなる箱体は、容易且つ迅速に開封して、分離された下側部分を商品展示用トレイとして使用することができる。また、当該箱用シートは、１本の第１破断容易線１４に沿って箱体を分割するので、開封時にシートの小片が発生しないため、開封後のシートの処理が簡単である。
【００４８】
［第二実施形態］
図５に、本考案の別の実施形態に係る箱用シートを示す。
【００４９】
当該箱用シートは、１枚のシート材から形成される。図５の箱用シートを形成するシート材としては、図１の箱用シートを形成するシート材と同様とすることができる。
【００５０】
当該箱用シートは、切断線及び罫線によって画定される複数のパネルを備え、複数のパネルの１又は２以上によってそれぞれ構成され、四角筒状に配置される４つの側壁と、この４つの側壁から形成される周壁部の上下端を封止する底壁及び天壁とを有する箱体に組み立て可能である。
【００５１】
具体的には、当該箱用シートは、組み立て状態で周壁部を構成する一対の長辺側面パネル（第１長辺側面パネル３１及び第２長辺側面パネル３２）と、一対の短辺側面パネル（第１短辺側面パネル３３及び第２短辺側面パネル３４）とを有する。より詳しくは、第１長辺側面パネル３１、第１短辺側面パネル３３、第２長辺側面パネル３２及び第２短辺側面パネル３４がこの順に左右方向に連接され、第１長辺側面パネル３１の第１短辺側面パネル３３と反対側には、第２短辺側面パネル３４の第２長辺側面パネル３２と反対側の側縁近傍に貼着される糊しろ３５が連接されている。
【００５２】
また、当該箱用シートは、第１長辺側面パネル３１及び第２長辺側面パネル３２の上縁から延出し、組み立て状態で先端縁同士が突き合わされる一対の蓋外フラップパネル（第１蓋外フラップパネル３６及び第２蓋外フラップパネル３７）と、第１短辺側面パネル３３及び第２短辺側面パネル３４の上縁から延出し、組み立て状態で蓋外フラップパネル３６，３７の内側に重ねられる一対の蓋内フラップパネル（第１蓋内フラップパネル３８及び第２蓋内フラップパネル３９）とを備える。つまり、蓋当該箱用シートを組み立ててなる箱体において、側面パネル３１，３２，３３，３４から形成される周壁部の上端を封止する天壁は、蓋外フラップパネル３６，３７及び蓋内フラップパネル３８，３９を組み合わせることによって構成される。
【００５３】
さらに、当該箱用シートは、第１長辺側面パネル３１及び第２長辺側面パネル３２の下縁から延出し、組み立て状態で先端縁同士が突き合わされる一対の底外フラップパネル（第１底外フラップパネル４０及び第２底外フラップパネル４１）と、第１短辺側面パネル３３及び第２短辺側面パネル３４の下縁から延出し、組み立て状態で底外フラップパネル４０，４１の内側に重ねられる一対の底内フラップパネル（第１底内フラップパネル４２及び第２底内フラップパネル４３）とを備える。つまり、蓋当該箱用シートを組み立ててなる箱体において、側面パネル３１，３２，３３，３４から形成される周壁部の下端を封止する底壁は、底外フラップパネル４０，４１及び底内フラップパネル４２，４３を組み合わせることによって構成される。
【００５４】
当該箱用シートは、第１長辺側面パネル３１及び第１短辺側面パネル３３間、並びに第２長辺側面パネル３２及び第２短辺側面パネル３４間でそれぞれ折り返され、糊しろ３５が第２短辺側面パネル３４の第２長辺側面パネル３２と反対側の側縁近傍領域の裏面に貼着されることによって、一対の長辺側面パネル３１，３２及び一対の短辺側面パネル３３，３４が無端筒状に接続される。糊しろ３５の第２短辺側面パネル３４への貼着は、接着剤を用いる方法の他、例えばステープラー等を用いる方法としてもよい。
【００５５】
当該箱用シートは、通常、糊しろ３５を第２短辺側面パネル３４に貼着し、第１長辺側面パネル３１及び第２短辺側面パネル３４が第１短辺側面パネル３３及び第２長辺側面パネル３２に密着する折り畳み状態でユーザーに提供される。このように当該箱用シートを折り畳み状態とすることで複数の当該箱用シートを積み重ねて効率よく輸送及び保管することができ、且つ予め糊しろ３５が第２短辺側面パネル３４に貼着されていることで当該段ボール箱用シート容易に組み立てることができる。
【００５６】
当該箱用シートは、箱体の４つの側壁を形成する複数のパネル（第１長辺側面パネル３１、第２長辺側面パネル３２、第１短辺側面パネル３３及び第２短辺側面パネル３４）に、組み立て状体で箱体の周壁部の略全周に亘って破断可能に形成される第１破断容易線４４と、隣接する２つのパネル（第１短辺側面パネル３３及び第２長辺側面パネル３２）に跨がって上記第１破断容易線４４に接続して形成され、シート材を押し込んで開口を形成可能な開口形成部４５を画定する第２破断容易線４６とを有する。
【００５７】
＜第１破断容易線＞
第１破断容易線４４は、シート材を断続的に切断して形成され、当該箱用シートを組み立ててなる箱体において、開口形成部４５の一部を残して周壁部の略全周に亘って連続する。
【００５８】
本実施形態の第１破断容易線４４は、第１長辺側面パネル３１を横断して形成される第１破断部４７と、第１短辺側面パネル３３を横断して形成される第２破断部４８と、第２長辺側面パネル３２を横断して形成される第３破断部４９と、第２短辺側面パネル３４を横断して形成される第４破断部５０とを有する。また、糊しろ３５には、組み立て状態で、第４破断部５０と重なる切断線５１が形成されている。
【００５９】
第１破断容易線４４は、各側壁内でそれぞれ上方に凸状となるよう湾曲していることで、当該箱用シートを組み立ててなる箱体の座屈強度を向上している。
【００６０】
＜開口形成部＞
開口形成部４５を画定する第２破断容易線４６は、隣接する第１短辺側面パネル３３及び第２長辺側面パネル３２間の境界線上の２点を接続するよう第１短辺側面パネル３３上に凸状に湾曲して形成され、上下方向中央部に第１破断容易線４４の第２破断部４８が接続される第１領域５２と、この第１領域５２の下端及び第１破断容易線４４の第３破断部４９上の１点間を接続するよう形成される第２領域５３とを有する。
【００６１】
＜利点＞
当該箱用シートは、第１破断容易線４４及び開口形成部４５を画定する第２破断容易線４６を有することで、開口形成部４５を押し込んで第１短辺側面パネル３３と第２長辺側面パネル３２との角部に開口を形成し、形成された開口に手の指をかけて開口の上側と下側とを引き離すよう力を加えることで、第１破断容易線４４に沿って箱体を上下２つに分離することができる。
【００６２】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６３】
本考案に係る箱用シートにおいて、４つの側壁、底壁及び天壁を形成するパネルの構成は上述の実施形態の構成に限られず、任意の構成とすることができる。
【００６４】
本考案に係る箱用シートが、第１破断容易線が直線状に形成されていてもよい。また、第１破断容易線は、開口形成部が設けられる２つのパネルの両方において、第２破断容易線上で終端してもよい。
【００６５】
本考案に係る箱用シートにおいて、第２破断容易線が例えば多角形状等の他の形状に形成されてもよい。また、第２破断容易線により画定される開口形成部のシートを箱体の内側に押し込み可能とするために、さらなる破断容易線を形成してもよい。
【産業上の利用可能性】
【００６６】
本考案に係る箱用シートは、商品輸送箱兼展示用トレイとして、特に好適に利用することができる。
【符号の説明】
【００６７】
１  天面パネル
２  第１側面パネル
３  底面パネル
４  第２側面パネル
５  糊しろ
６  第１内フラップパネル
７  第２内フラップパネル
８  第３内フラップパネル
９  第４内フラップパネル
１０  第１上外フラップパネル
１１  第２上外フラップパネル
１２  第１下外フラップパネル
１３  第２下外フラップパネル
１４  第１破断容易線
１５  開口形成部
１６  第２破断容易線
１７  第１破断部
１８  第２破断部
１９  第３破断部
２０  第４破断部
２１  第５破断部
２２  第６破断部
２３  第１領域
２４  第２領域
２５，２６  切欠
３１  第１長辺側面パネル
３２  第２長辺側面パネル
３３  第１短辺側面パネル
３４  第２短辺側面パネル
３５  糊しろ
３６  第１蓋外フラップパネル
３７  第２蓋外フラップパネル
３８  第１蓋内フラップパネル
３９  第２蓋内フラップパネル
４０  第１底外フラップパネル
４１  第２底外フラップパネル
４２  第１底内フラップパネル
４３  第２底内フラップパネル
４４  第１破断容易線
４５  開口形成部
４６  第２破断容易線
４７  第１破断部
４８  第２破断部
４９  第３破断部
５０  第４破断部
５１  切断線
５２  第１領域
５３  第２領域
【図１】
0003210387.tif 000003
【図２】
0003210387.tif 000004
【図３】
0003210387.tif 000005
【図４】
0003210387.tif 000006
【図５】
0003210387.tif 000007